(57)【要約】      （修正有）【課題】ブラインドシステムが強風または乱気流のある環境で用いられる場合でも、スクリーンが荒々しくはためくのを防止又は抑制することができるブラインドシステムを提供する。【解決手段】ブランドシステムは、一端をバーに固定されたスクリーンと、スクリーンの両縁部に配置された案内レールとを備える。案内レールの各々は、分離した平行な第１溝部１２２および第２溝部１２４を有する案内溝を形成する単一の長尺な剛性本体１２０を有する。前記本体に沿ってスリット１２８が形成されており、スクリーンは、前記スリットに沿って当該スクリーンの移動を案内するために、及び、第１溝部１２２から当該スクリーンの縁部が外れるのを防ぐために、第１溝部１２２内にまで延びる側部１３４を有する。前記バーは、第２溝部１２４内でのみ移動するように構成された端部１１２を有する。【選択図】図３
0003163685.tif 000002
【実用新案登録請求の範囲】
【請求項１】
ブランドシステムであって、
一端をバーに固定されたスクリーンと、
前記スクリーンの対向する両縁部に配置された案内レールと、を備えており、
前記案内レールの各々は、分離した平行な第１溝部および第２溝部を有する案内溝を形成する単一の長尺な剛性本体を有しており、
前記本体に沿ってスリットが形成されており、前記スクリーンは、前記スリットに沿って当該スクリーンの移動を案内するために、及び、前記第１溝部から当該スクリーンの縁部が外れるのを防ぐために、前記第２溝部と前記スリットとを介して前記第１溝部内にまで延びる側部を有しており、
前記バーは、当該バーが前記本体に沿って移動するのを案内するために、前記第２溝部内でのみ移動するように構成された端部を有していることを特徴とするブラインドシステム。
【請求項２】
前記案内溝は前記本体に形成された単一の長手方向凹部からなり、前記第１溝部および第２溝部は前記本体の連続する壁部によって区画形成されていることを特徴とする請求項１に記載のブラインドシステム。
【請求項３】
前記本体は剛性材料から押出成形されたものであり、前記スリットは前記第２溝部と前記第１溝部とを連通させるものであることを特徴とする請求項１に記載のブラインドシステム。
【請求項４】
前記案内溝は前記本体に形成された単一の長手方向凹部からなり、前記第１溝部および第２溝部は前記本体の連続する壁部によって区画形成されていること、及び、
前記本体は剛性材料から押出成形されたものであり、前記スリットは前記第２溝部と前記第１溝部とを連通させるものであること、を特徴とする請求項１に記載のブラインドシステム。
【請求項５】
前記スリットは二つの隔壁部材の間に区画形成されており、
（ｉ）前記スクリーンを前記スリットに沿って摺動可能にし、且つ（ｉｉ）前記スリットのそれぞれのエッジ間における前記スクリーンの水平移動が最小限となるように、前記二つの隔壁部材はそれぞれ前記スクリーンの前面と後面に十分近接して配置されている、ことを特徴とする請求項１に記載のブラインドシステム。
【請求項６】
前記スリットは０．７ｍｍ〜２．０ｍｍのクリアランスを有することを特徴とする請求項５に記載のブラインドシステム。
【請求項７】
前記スクリーンの側部は、前記第１溝部内に配置される外縁を備え、この外縁は、前記第１溝部から前記スクリーンが外れるのを防ぐように、前記スリットのクリアランスより大きな断面寸法を有していることを特徴とする請求項１に記載のブラインドシステム。
【考案の詳細な説明】
【技術分野】
【０００１】
本考案は、スクリーンを展開し（引き出し）または巻き取るために軌道案内するブラインドシステムに関するものである。
【背景技術】
【０００２】
一般的にブラインドシステムは、スクリーン（例えばキャンバス地、布地、メッシュもしくはパネルといった柔軟性、半剛性もしくは剛性を有するシート材料を指す）を有しており、その一端を回転可能なローラーに固定され、このローラーにより集められ（巻き取られ）、他端を引き出しバーに固定されている。スクリーンは、カーテン、オーニングもしくはシェードを指すこともある。ローラーは、支持枠、支持構造体もしくは支持面に固定することができる。ローラーは、開口部またはある領域（例えば壁、窓、天窓）上にスクリーンを展開する方向に回転することができ、また、逆方向のスクリーン１０２を巻き取る方向にも回転することができる。このスクリーンの側部は展開されたとき自由に垂れ下がる。
【０００３】
ブラインドシステムが強風または乱気流のある環境で用いられる場合（例えば、開口窓もしくは天窓を覆うために、または屋外で用いるために）、乱気流がスクリーンを振動させ、スクリーン自体もしくは周囲の物品に損傷を引き起こしてしまう。例えば窓に自由に垂れ下がるスクリーンは、強風が窓に入る時または窓を通過する時に荒々しくはためく。スクリーンおよび引き出しバーは周囲の物品に当たり、また損傷を与え、窓の近くにいる人に危害を加えてしまう。
【０００４】
この問題に対処するために数々の試みがなされてきた。特許文献１は、軌道案内するブラインドシステムを記載しており、スクリーンの縁部が各案内レールのスロットを通して案内レールの内部孔部に延びている。このスクリーンの縁部は、その直径をスロットの大きさよりも大きくするためにコード（またはロープ）を擁している。従ってこのスクリーンは、その縁部を内部孔部に確実に保持されたまま、案内レールに沿って摺動することができる。このスクリーンは、風が強い状況においてスクリーンがほとんど若しくは全くはためかないようにぴんと張って取り付けられる。引き出しバーの端部は案内レールのスロットに嵌め込まれるように（且つこれに沿って摺動するように）構成されている。しかしこの方法にはいくつかの問題がある。この引き出しバーはスクリーンの厚みよりもかなり厚い。スロットが引き出しバーの端部を収容するのに十分な大きさを有している場合、スクリーンはスロット内で動き回ることができ（すなわちスロットの一方のエッジから他方のエッジに動き回ることができ）、強風の下でははためいてしまう。しかしながら、スロットのエッジがスクリーンの表面に近接するようにこのスロットが十分小さい場合、引き出しバーの端部を非常に薄く作る必要があり、これにより構造的に弱くなり、損傷を受け易くなってしまう。更に、スクリーンに張力が掛けられている場合、スクリーンの縁部と内部孔部の内側との間の摩擦抵抗が大きくなり、案内レールに沿ってスクリーンを展開し、または巻き取るのが困難になる。更に、スクリーンを長期間張力を掛けられたままにしておくと、その弾力性を徐々に失っていき、強風の下ではためくのを防ぐ効果が低下する（案内レールが取り付けられるときに所定の位置に固定されるためである）。
【０００５】
特許文献２は、別のブラインドシステムを記載しており、スクリーンの縁部が案内レールのスロットを通して延びており、案内レールの長手方向溝部の内側に確実に収容されるようになされている。このブラインドシステムは、案内レールにスクリーンから離れる方向にバイアスを掛けるためにクッション材を有しており、スクリーンをきつく張った状態を維持する。このブラインドシステムが最初に取り付けられるとき、案内レールはスクリーンを引っ張るように配置され、この構成の下でクッション材は僅かに押圧される。時が経過し、スクリーンに緩みが出てくると、クッション材は案内レールにスクリーンから離れる方向にバイアスを掛けるために減圧し、スクリーンの張りを保持する。しかしながら、クッション材を備えることにより、システムが機械的に複雑なものとなる。従って、上記問題の一つ以上に対処すること、または便利な代替策を提供することが望まれている。
【先行技術文献】
【特許文献】
【０００６】
【特許文献１】オーストラリア国特許第２００２３００１８３号公報
【特許文献２】オーストラリア国特許第５９８３５４号公報
【考案の概要】
【考案が解決しようとする課題】
【０００７】
本発明の目的は、上記のようないくつかの問題点を解決しつつ、ブラインドシステムが強風または乱気流のある環境で用いられる場合でもスクリーンが荒々しくはためくのを防止又は抑制することができるブラインドシステムを提供することにある。
【課題を解決するための手段】
【０００８】
本考案によれば、ブランドシステムが提供される。このブランドシステムは、一端をバーに固定されたスクリーンと、このスクリーンの対向する両縁部に配置された案内レールを備えており、各案内レールは、分離した平行な第１溝部および第２溝部を有する案内溝を形成する単一の長尺な剛性本体を有しており、前記本体に沿ってスリットが形成されており、前記スクリーンは、前記スリットに沿って当該スクリーンの移動を案内するため、及び、前記第１溝部から前記縁部が外れるのを防ぐために、前記第２溝部と前記スリットとを介して前記第１溝部内にまで延びる側部を有しており、前記バーは、当該バーが前記本体に沿って移動するのを案内するために、前記第２溝部内でのみ移動するように構成された端部を有していることを特徴とする。
【０００９】
本考案の代表的な実施形態を添付の図面を参照しつつ以下に例として記載する。
【図面の簡単な説明】
【００１０】
【図１】図１はブラインドシステムの主要部品を示す斜視図である。
【図２】図２は当該システムのスクリーンに固定されたバーの端部を示す斜視図である。
【図３】図３は当該システムの一実施形態における案内レールの断面図である。
【図３Ａ】図３Ａは当該システムの別の実施形態において用いられる本体の断面図である。
【図４】図４はＵ字形ハウジング内に嵌め込まれた本体の斜視図である。
【図５】図５は支持ブラケットに嵌め込まれた本体の断面図である。
【図６】図６は別の支持ブラケットに嵌め込まれた本体の断面図である。
【図７】図７は代表的な実施形態におけるスクリーンの端部を示す斜視図である。
【図８】図８は支持ブラケットの別の代表的な実施形態を示す斜視図である。
【考案を実施するための形態】
【００１１】
図１に示すように、ブラインドシステム１００は、スクリーン１０２を有しており、このスクリーン１０２の一端は回転可能なローラー１０４に固定されており、他端はバー１０６に固定されている。ローラー１０４は、建物もしくは設備の開口部またはある領域（例えば壁、窓、天窓）上にスクリーン１０２を展開する方向に回転することができ、また、逆方向のスクリーン１０２を巻き取る方向にも回転することができる。案内レール１０８は、展開時および巻き取り時にスクリーン１０２およびバー１０６の移動を案内する。ローラー１０４および案内レール１０８は、支持枠、支持構造体もしくは支持面に固定することができる。スクリーン１０２は、覆いとしての用途に適した柔軟性もしくは剛性のあるシート材料（例えばキャンバス地、布地、ワイヤーもしくは樹脂メッシュ、またはパネル）であってよい。
【００１２】
図２はバー１０６をより詳細に示している。バー１０６の端部１１０は案内部１１２を有しており、この案内部１１２は案内レール１０８の溝部１２４（図３を参照）に収容されるように成形されている。フランジ部１１４は案内レール１０８の外側に浮いた状態となっている。更に、バー１０６は、スロット１１６を有しており、このスロット１１６はスクリーン１０２の一端を受け入れるために「開位置」に調整可能（例えば一または複数の留め具１１８を回転させることによって）である。スロット１１６は、バー１０６とスクリーン１０２の端部が離れないようにこれらを係止するための「閉位置」に調整可能である（例えば一または複数の留め具１１８を回転させることによって）。バー１０６は下方向への力をスクリーン１０２の一端に与えるのに十分な重量を有していてもよい。重力が働かない用途においては（例えば天窓）、バー１０６は他の機械的手段（例えば別の回転可能なローラーに固定されたワイヤロープ）によって引っ張ることができる。スクリーン１０２の展開および巻き取りは、バー１０６を引っ張ることによって機械的に作動させることができ、あるいは、スクリーンの展開もしくは巻き取り方向にローラー１０４を回転させる機械的駆動装置を作動させる別体のコントローラ（機械的もしくは電気的に）を操作することによって機械的に作動させることができる。
【００１３】
図３は、システム１００の一実施形態において用いられる案内レール１０８の断面図（図１のＡ−Ａに沿った断面）を示している。この案内レール１０８は、一個の部材として形成された単一の剛性本体１２０を含んでいる。案内レール１０８は、本体１２０もしくは３００（下記に記載）のみを含んでいてもよく、あるいは、本体１２０もしくは３００と、一または複数の他の部品（例えばＵ字形ハウジング１３８および／またはブラケット部材１４２もしくは１４４）との組合せを含んでいてもよい。一実施形態において、本体１２０は剛性材料（例えばアルミニウムといった金属、またはポリ塩化ビニル（ＰＶＣ）といったポリマーを含む）から押し出し成形される。本体１２０は、スクリーンの展開および巻き取り時のスクリーン１０２およびバー１０６の移動を案内するための案内溝を画定（区画形成）している。案内溝は、本体１２０に沿って形成された単一の長手方向凹部を有しており、第１溝部１２２および第２溝部１２４に分けられる。第１溝部１２２及び第２溝部１２４はそれぞれ、本体１２０に沿って画定された異なる長手方向の空間の柱に対応しており、第１溝部１２２および第２溝部１２４は互いに並行に整列されている。
【００１４】
更に、本体１２０は、第２溝部１２４に開口する長手方向開口部１２６を画定している。スリット１２８は第２溝部１２４から第１溝部１２２への連通をなすように画定されている。スリット１２８は、案内溝内に突出する一または複数の隔壁部材１３０および１３２によって画定することができる。一実施形態において、案内溝は、案内レール１０８の連続する壁部１３６によって画定されている。
【００１５】
図３Ａは、ブラインドシステム１００の別の実施形態の案内レール１０８として（もしくはその一部として）用いられる別の本体３００の断面図を示している。本体３００は、第１部材３０２および第２部材３０４として呼ばれる、２つの別体の部品から構成される。第１部材３０２は第２部材３０４と確実に結合するように成形されている。例えば、図３Ａに示される実施形態において、第１部材３０２は凹部３０６を有しており、この凹部３０６は、第２部材３０４の外面と係合し、第１部材３０２と第２部材３０４が分離しないように成形されている。第１部材３０２および第２部材３０４は他の方法で結合されてもよい。
【００１６】
第１部材３０２および第２部材３０４は、スリット１２８を画定するそれぞれ異なる隔壁部材３０８および３１０を画定する。第１部材３０２は、隔壁部材３０８および３１０の正確な水平方向の整合のために第２部材３０４のそれぞれ異なる端部を支持するための一または複数の支持部３１４（例えば、突出する肉厚部の形態）を有していてもよい。支持部３１４は、隔壁部材３０８および３１０が互いに直に対向するように確実に整合することを助け、隔壁部材３０８および３１０のいずれかが他方の隔壁部材の僅かに前または後ろにずれて配置される状態（この状態はスリット１２８に沿って移動するスクリーン１０２の円滑性に影響する）を避けることを助ける。
【００１７】
更に、第１部材３０２および第２部材３０４は、これらの部材が互いに結合されるときにこれらの間になされた係合状態によって第１部材３０２および第２部材３０４が互いに接近する方向または互いから離れる方向に移動することを防ぐように構成される。これは、スリット１２８のクリアランスが小さくなり過ぎたり（スクリーン１０２と絡まる）、または大きくなりすぎ（スクリーン１０２が第１溝部１２２から外れるようになる）ないようにするものである。例えば、図４に示される実施形態において、第１部材３０２は突条３１２を有しており、この突条３１２は、第２部材３０４に形成された対応する凹条内に突出する。第１部材３０２および第２部材３０４を他の方法を用いて上記のように互いに係合することができることも理解されよう。
【００１８】
図３に示されるように、バー１０６の案内部１１２が第２溝部１２４内に収容される。バー１０６の案内部１１２は第２溝部１２４内でのみ移動するように構成されており、バー１０６が案内レール１０８の長手方向開口部１２６に沿って移動（または摺動）するように第２溝部１２４がバー１０６を案内する。
【００１９】
図３に示すように、スクリーン１０２は側部１３４（縁部とも呼ばれる）を有しており、この側部１３４は、第２溝部１２４と、案内レール１０８に沿って形成されたスリット１２８とを通して延び、更に第１溝部１２２内に延びるように構成されている。この側部１３４は、スクリーン１０２が第１溝部１２２に沿って移動（または摺動）することができるように構成されており、且つ、この側部１３４が第１溝部１２２から外れないように第１溝部１２２内に確実に収容されるように構成されている。例えば、側部１３４の外縁（これは第１溝部１２２内に収容される）は、側部１３４がスリット１２８を通して第１溝部１２２の外へ引っ張り出されないようにスリット１２８のクリアランス（もしくは開口部の寸法）よりも大きな寸法または直径を有するように構成することができる。
【００２０】
一実施形態において、側部１３４の外縁は、この外縁が接触する第１溝部１２２の表面の材料（例えば本体１２０の表面、またはその上に塗布されるテフロン（登録商標）もしくはシリコンといったコーティングや物質）に比して摩擦係数が低い柔軟性のある材料（例えばポリマー基材）から作られている。
【００２１】
一実施形態において、側部１３４の外縁は、衣類のファスナーとして一般的に用いられるジッパーの片側である。ジッパーの側部１３４は、スクリーン１０２に縫合され、接着され、あるいは固定され得る（図３および７に示されるように）。スクリーン１０２は、シート材料と、このシート材料に取り付けられまたは固定された任意の他の部品（例えば一つまたは複数のジッパー）とを含む。
【００２２】
一実施形態において、スリット１２８のクリアランス（すなわちスリット１２８を画定する本体１２０のエッジ間の間隙）は、スリット１２８を画定するエッジがスリット１２８を通るスクリーン１０２の表面に近接するように（例えば僅かに触れない程度）十分に小さい。しかしながら、スリット１２８のクリアランスは、スクリーン１０２がスリット１２８を通して動く（もしくはこれに沿って摺動する）のに十分な幅がある。一実施形態において、スリット１２８は０．７ｍｍ〜２．０ｍｍのクリアランスを有しており、これはスクリーン１０２として用いるために選択された材料の平均厚さに対応するものである。
【００２３】
図４に示されるように、本体１２０はＵ字形ハウジング１３８内に嵌め込むことができる。Ｕ字形ハウジング１３８は支持構造体または支持表面（例えば壁もしくは窓枠）に固定することができる。本体１２０は、十分な張力がスクリーン１０２に与えられるように（例えばスクリーン１０２を円滑な摺動を阻害しない程度にぴんと張ることによって）、Ｕ字形ハウジング１３８の凹部内に調整可能に配置される。Ｕ字形ハウジング１３８は一または複数の長手方向凹条もしくは溝１４０を有し得る。この凹条もしくは溝１４０は、本体１２０とＵ字形ハウジング１３８を共に固定するために、Ｕ字形ハウジング１３８を通して打ち込まれる留め具（例えばリベット）を整列させるのを助ける。Ｕ字形ハウジングは一体（一部材）として作られ（図４に示される）、あるいは、互いに組み付けられる複数の部材から作られてもよい（図８に示される）。末端部材１５２は、スクリーン１０２の側部１３４を第２溝部１２２内に案内するために本体１２０の端部に嵌められる。例えば、末端部材１５２は図４に示されるように、スリット１２８の一対の対向する側部が末端部材１５２の外側の端部において大きく離れており、末端部材１５２の内側の端部におけるスリット１２８の所定のクリアランスに向かってじょうご状に狭くなっている。末端部材１５２は剛性部材（例えばプラスチックまたは金属）から作れることができる。
【００２４】
図５及び図６は、一実施形態の断面図を示しており、本体１２０はブラケット部材１４２および１４４に嵌め込まれ、次にＵ字形ハウジング１３８に嵌め込まれる。他の実施形態において、本体３００（または他の適切に設計した本体）は本体１２０の代わりに用いることができる。本体１２０は、この本体１２０に隣接して配置された一または複数の支持部材１４６および１４８によってブラケット部材１４２および１４４に対して然るべき位置に保持される。支持部材１４６はフランジ部１５０を備えていてもよく、本体１２０に向かって流れる風をそらすのを助け、スクリーン１０２を振動させる要因を最小限にするのを助ける。
【００２５】
一体に形成された本体１２０を備える案内レール１０８を提供することの大きな利点は、製造が容易である（よって経済的である）ことである。本体１２０および３００は一部材として供給されるが、製造過程において複数の部材（例えば３０２および３０４）から作られ、直ちに使用できる状態にすることもできる。別の利点は、案出レール１０８がスクリーン１０２の側部１３４とバー１０６の端部１１０とを収容し、堅持し、スクリーン１０２の展開方向および巻き取り方向に対して垂直方向であるスクリーン１０２およびバー１０６の水平方向の動きを最小限にすることである。これにより、過剰なあるいは激しい水平方向への動きの結果としてスクリーン１０２、バー１０６に損傷を与え、また、これらスクリーン１０２、バー１０６が隣接する物に当たり損傷を与えるというリスクを最小限にする。
【００２６】
更に、非常に小さいクリアランス（スクリーン１０２に僅かに触れない程度）を有するスリット１２８を備える本体１２０を製造し、かつ十分な構造強度をなお備えることは困難である。特に高度な精度が要求される場合、金属材料の成形は一般に困難であるが、二つの異なる（もしくは別個の）並行した第１溝部１２２および第２溝部１２４を用いることによって、押出成形によりクリアランスの小さいスリット１２８を形成することが容易になる。更に、並行する第１溝部１２２および第２溝部１２４は、上記のように、同時にバー１０６およびスクリーン１０２の両方を収容し、案内し、保持することができるという利点をなす。より高度な精度が要求される場合、本体３００は、二つまたは三つ以上の部材３０２および３０４から製造することができ、部材３０２および３０４が互いに嵌合されるときに非常に小さなクリアランスを画定するようにそれぞれ成形され、一部材として作られる本体１２０の全ての機能および利点をなお提供することができる。
【００２７】
本発明について改変および改良することは当業者にとって自明である。かかる改変および改良は本発明の範囲内である。
【００２８】
本明細書（背景技術の記載を含む）において参照した事項、技術は、それらが本願の優先日において公衆に利用可能となっていたこと、または公知となっていたことを認めるものではない。
【符号の説明】
【００２９】
１００  ブラインドシステム
１０２  スクリーン
１０４  ローラー
１０６  バー
１０８  案内レール
１１２  案内部（バーの端部）
１１４  フランジ部
１１６  スロット
１１８  留め具
１２０  本体
１２２  第１溝部（案内溝）
１２４  第２溝部（案内溝）
１２６  長手方向開口部
１２８  スリット
１３４  スクリーンの側部
１３８  Ｕ字形ハウジング
１４０  凹条もしくは溝
１４２  ブラケット部材
１４４  ブラケット部材
１４６  支持部材
１４８  支持部材
１５０  フランジ部
１５２  末端部材
３００  本体
３０２  第１部材
３０４  第２部材
３０６  凹部
３０８  隔壁部材
３１０  隔壁部材
３１２  突条
３１４  支持部
【図１】
0003163685.tif 000003
【図２】
0003163685.tif 000004
【図３】
0003163685.tif 000005
【図３Ａ】
0003163685.tif 000006
【図４】
0003163685.tif 000007
【図５】
0003163685.tif 000008
【図６】
0003163685.tif 000009
【図７】
0003163685.tif 000010
【図８】
0003163685.tif 000011
【手続補正書】
【提出日】平成22年8月20日(2010.8.20)
【手続補正１】
【補正対象書類名】実用新案登録請求の範囲
【補正対象項目名】請求項１
【補正方法】変更
【補正の内容】
【請求項１】
ブラインドシステムであって、
一端をバーに固定されたスクリーンと、
前記スクリーンの対向する両縁部に配置された案内レールと、を備えており、
前記案内レールの各々は、分離した平行な第１溝部および第２溝部を有する案内溝を形成する単一の長尺な剛性本体を有しており、
前記本体に沿ってスリットが形成されており、前記スクリーンは、前記スリットに沿って当該スクリーンの移動を案内するために、及び、前記第１溝部から当該スクリーンの縁部が外れるのを防ぐために、前記第２溝部と前記スリットとを介して前記第１溝部内にまで延びる側部を有しており、
前記バーは、当該バーが前記本体に沿って移動するのを案内するために、前記第２溝部内でのみ移動するように構成された端部を有していることを特徴とするブラインドシステム。